(57)【要約】【課題】寿命が短くなるのを抑えると共に、動画を表示する際のぼやけを抑制する画像表示装置を提供する。【解決手段】画像表示装置１は、画像表示モジュール１０と、映像信号が入力される入力部（同期分離部２１）と、同期分離部２１によって入力された映像信号から２つのフレームを取り出し、取り出した２つのフレームに基づいて、フレームに記録される被写体の動きを抽出する抽出部２５１と、抽出部２５１による抽出の結果に基づいて、フレームの領域を、被写体に動きがあるとされる動領域と、被写体に動きがないとされる静止領域とに分割する分割部２５２と、動領域の発光時間を静止領域の発光時間よりも短くすると共に、静止領域から動領域にかけて発光時間を徐々に短くするようにして、フレームを画像表示モジュール１０に表示させる制御部（発光時間制御パルス生成部２６）と、を備える。【選択図】図１
2016012068.tif 000002
【特許請求の範囲】
【請求項１】
画像表示モジュールと、
映像信号が入力される入力部と、
前記入力部によって入力された映像信号から時間的に前後する２つのフレームを取り出し、取り出した２つのフレームに基づいて、フレームに記録される被写体の動きを抽出する抽出部と、
前記抽出部による抽出の結果に基づいて、フレームの領域を、被写体に動きがあるとされる動領域と、被写体に動きがないとされる静止領域とに分割する分割部と、
前記動領域の発光時間を前記静止領域の発光時間よりも短くすると共に、前記静止領域のうち前記動領域に隣接する領域において前記動領域に近づくにつれて発光時間を徐々に短くするようにして、フレームを前記画像表示モジュールに表示させる制御部と、
を備える画像表示装置。
【請求項２】
前記分割部は、
前記抽出部による抽出の結果に基づいて、フレームを構成する水平ライン毎に被写体が動く画素数の割合を求め、
水平ライン毎の前記割合のうち閾値を超える水平ラインを前記動領域とし、
水平ライン毎の前記割合のうち閾値以下の水平ラインを前記静止領域とする
請求項１に記載の画像表示装置。
【請求項３】
前記制御部は、前記動領域、及び、前記静止領域のうち発光時間を短くする領域については、発光時間がより短くなる場合に発光輝度がより高くなるようにして、フレームを前記画像表示モジュールに表示させる
請求項１又は２に記載の画像表示装置。
【請求項４】
前記画像表示モジュールは、アクティブマトリクス型の有機ＥＬ表示モジュールである
請求項１から３のいずれか１項に記載の画像表示装置。
【発明の詳細な説明】
【技術分野】
【０００１】
本発明は、画像を表示する画像表示装置に関する。
【背景技術】
【０００２】
ホールド型の画像表示装置では、被写体の動きが速い映像を表示する場合、被写体がぼやけて表示される事象が発生している。被写体の動きぼやけを解消するために、従来の画像表示装置では、１フレームの途中で発光を停止させると共に、発光強度を強くするタイプがある（特許文献１参照）。
【先行技術文献】
【特許文献】
【０００３】
【特許文献１】特開２００４−１４４９２８号公報
【発明の概要】
【発明が解決しようとする課題】
【０００４】
特許文献１に記載された画像表示装置では、動画を表示する場合には、１フレームの途中で発光を停止させると共に、発光強度を強くする制御が行われている。その画像表示装置が有機ＥＬ（Ｅｌｅｃｔｒｏｌｕｍｉｎｅｓｃｅｎｃｅ）表示装置であると、発光強度を強くした場合には、有機ＥＬの寿命特性が低下してしまう。
【０００５】
本発明は、寿命が短くなるのを抑えると共に、動画を表示する際のぼやけを抑制する画像表示装置を提供することを目的とする。
【課題を解決するための手段】
【０００６】
本発明の画像表示装置は、画像表示モジュールと、映像信号が入力される入力部と、前記入力部によって入力された映像信号から時間的に前後する２つのフレームを取り出し、取り出した２つのフレームに基づいて、フレームに記録される被写体の動きを抽出する抽出部と、前記抽出部による抽出の結果に基づいて、フレームの領域を、被写体に動きがあるとされる動領域と、被写体に動きがないとされる静止領域とに分割する分割部と、前記動領域の発光時間を前記静止領域の発光時間よりも短くすると共に、前記静止領域のうち前記動領域に隣接する領域において前記動領域に近づくにつれて発光時間を徐々に短くするようにして、フレームを前記画像表示モジュールに表示させる制御部と、を備える。
【０００７】
前記分割部は、前記抽出部による抽出の結果に基づいて、フレームを構成する水平ライン毎に被写体が動く画素数の割合を求め、水平ライン毎の前記割合のうち閾値を超える水平ラインを前記動領域とし、水平ライン毎の前記割合のうち閾値以下の水平ラインを前記静止領域とすることが好ましい。
【０００８】
前記制御部は、前記動領域、及び、前記静止領域のうち発光時間を短くする領域については、発光時間がより短くなる場合に発光輝度がより高くなるようにして、フレームを前記画像表示モジュールに表示させることが好ましい。
【０００９】
前記画像表示モジュールは、アクティブマトリクス型の有機ＥＬ表示モジュールである
ことが好ましい。
【発明の効果】
【００１０】
本発明によれば、寿命が短くなるのを抑えると共に、動画を表示する際のぼやけを抑制する画像表示装置を提供することができる。
【図面の簡単な説明】
【００１１】
【図１】画像形成装置の一実施形態について説明するためのブロック図である。
【図２】画素の構成を説明するための図である。
【図３】画質の劣化について説明するための図である。
【図４】画像表示装置の動作について説明するための図である。
【発明を実施するための形態】
【００１２】
以下、本発明の一実施形態について説明する。図１は、画像形成装置の一実施形態について説明するためのブロック図である。図２は、画素の構成を説明するための図である。
【００１３】
図１に示すように、画像表示装置１は、画像表示モジュール１０と、同期分離部２１と、データ変換部２２と、データ信号用制御パルス生成部２３と、選択信号用制御パルス生成部２４と、動き検出部２５と、発光時間制御パルス生成部２６と、発光時間制御信号線駆動回路２７と、を備える。同期分離部２１は、本発明の「入力部」の一実施形態に対応する。選択信号用制御パルス生成部２４及び発光時間制御パルス生成部２６は、本発明の「制御部」の一実施形態に対応する。
【００１４】
画像表示モジュール１０は、ホールド型の画像表示モジュールである。より具体的な一例としては、画像表示モジュール１０は、アクティブマトリクス型有機ＥＬ表示モジュールである。以下では、画像表示モジュール１０として、アクティブマトリクス型有機ＥＬ表示モジュールを例にして説明する。
【００１５】
画像表示モジュール１０は、データ信号線駆動回路１１と、選択信号線駆動回路１２と、表示パネル１３と、を備える。
【００１６】
データ信号線駆動回路１１には、垂直方向に配される複数のデータ信号線（図１には図示せず、図２の符号「ＤＬ」参照）が接続される。データ信号線駆動回路１１は、画像信号とパルス信号と基づいて、複数のデータ信号線のそれぞれにデータ信号を供給する。
【００１７】
選択信号線駆動回路１２には、水平方向に配される複数の選択信号線（図１には図示せず、図２の符号「ＳＬ」参照）が接続される。選択信号線駆動回路１２は、パルス信号に基づいて、複数の選択信号線のそれぞれに選択信号を供給する。
【００１８】
表示パネル１３は、複数の画素を備える。図２に示すように、１つの画素は、スイッチングトランジスタＴｒ１と、駆動トランジスタＴｒ２と、発光時間制御用トランジスタＴｒ３と、保持容量Ｃと、有機ＥＬ素子１４と、を備える。
【００１９】
スイッチングトランジスタＴｒ１のゲート電極Ｇは、選択信号線ＳＬに接続される。スイッチングトランジスタＴｒ１のドレイン電極Ｄは、データ信号線ＤＬに接続される。スイッチングトランジスタＴｒ１のソース電極Ｓは、駆動トランジスタＴｒ２のゲート電極Ｇと、保持容量Ｃに接続される。
【００２０】
駆動トランジスタＴｒ２のドレイン電極Ｄは、電源Ｖｄｄと、保持容量Ｃに接続される。駆動トランジスタＴｒ２のソース電極Ｓは、発光時間制御用トランジスタＴｒ３のドレイン電極Ｄに接続される。発光時間制御用トランジスタＴｒ３のソース電極Ｓは、有機ＥＬ素子１４に接続される。発光時間制御用トランジスタＴｒ３のゲート電極Ｇは、発光時間制御信号線１５に接続される。
【００２１】
図１に示す同期分離部２１は、入力された映像信号を、画像信号と同期信号とに分離する。
データ変換部２２は、入力された画像信号がアナログ信号の場合、表示パネル１３に映像を表示させることができるデジタル信号に変換する。又は、データ変換部２２は、入力された画像信号がデジタル信号の場合、表示パネル１３に映像を表示させることができるデジタル信号に変換する。
【００２２】
データ信号用制御パルス生成部２３は、同期信号に基づいて、映像を表示パネル１３に表示させるためのパルス信号（データ信号用制御パルス）を生成して、データ信号線駆動回路１１に供給する。
選択信号用制御パルス生成部２４は、同期信号に基づいて、映像を表示パネル１３に表示させるためのパルス信号（選択信号用制御パルス）を生成して、選択信号線駆動回路１２に供給する。
【００２３】
動き検出部２５は、映像信号に基づく複数のフレームから被写体の動きを検出する。すなわち、動き検出部２５を構成する抽出部２５１は、同期分離部２１に入力された映像信号（同期分離部によって分離された画像信号）から時間的に前後する２つのフレームを取り出し、取り出した２つのフレームに基づいて、フレームに記録される被写体の動きを抽出する。ここで、抽出部２５１は、フレームを記憶するバッファメモリ（図示せず）を備えることが好ましい。また、抽出部は、２つのフレームを取り出す場合、時間的に連続する２つのフレームを取り出してもよく、時間的に連続する３つのフレームの中から、１フレームの間をあけて前端と後端との２つのフレームを取り出してもよい。
【００２４】
例えば、抽出部２５１は、画像信号を構成する時間的に前後する２つのフレームから、フレーム間における各画素の被写体の動き量を取得する。具体的な一例として、抽出部２５１は、フレームから１６画素×１６画素のブロックを抽出し、フレーム間でブロックマッチングを行うことにより、被写体の動き量を取得する。抽出部２５１は、例えば、被写体の動きの大きさをＶｎ（ｘ，ｙ）で表す。ここで、ｘは、０＜ｘ≦Ｎｘ（Ｎｘ：水平方向の画素数）の関係を満たす。また、ｙは、０＜ｙ≦Ｎｙ（Ｎｙ：垂直方向の画素数）の関係を満たす。
【００２５】
また、動き検出部２５は、被写体の動き量の抽出結果に基づいて、フレームを、被写体に動きがあるとされる動領域と、被写体に動きがないとされる静止領域とに分割する。すなわち、動き検出部２５を構成する分割部２５２は、抽出部２５１による抽出の結果に基づいて、フレームを構成する水平ライン（選択信号線ＳＬ）毎に被写体が動く画素数の割合を求める。そして、分割部２５２は、水平ライン（選択信号線ＳＬ）毎の割合のうち閾値を超える水平ラインを動領域とする。また、分割部２５２は、水平ライン（選択信号線ＳＬ）毎の割合のうち閾値以下の水平ラインを静止領域とする。
【００２６】
より具体的には、分割部２５２は、抽出部２５１によって抽出された被写体の動きの大きさＶｎに基づいて、水平ライン（選択信号線ＳＬ）毎の被写体の動き量のヒストグラムＨｎ（ｌ）を作成する。ここで、ｌは、水平ライン（選択信号線ＳＬ）の番号（ライン番号）を表す。
【００２７】
より詳細には、分割部２５２は、まず、ライン番号がｙ＝ｌにおける被写体の動きの大きさＶｎに関して、被写体の動きの大きさＶｎが第１閾値Ｖｔｈ１を超える画素の数を求める。ここで、一例として、第１閾値Ｖｔｈは、４ピクセル／フレームである。したがって、分割部２５２は、各水平ラインについて、１フレームあたり４ピクセルを超える被写体の動きが有る画素の数を求める。次に、分割部２５２は、求めた画素数を、１つの水平ラインを構成する画素の数Ｎｘ（水平方向の画素数）で割った値Ｗを求める。各水平ラインについて値Ｗを求めることに基づいて、ヒストグラムＨｎ（ｌ）を作成する。次に、分割部２５２は、ヒストグラムＨｎ（ｌ）について、第２閾値Ｈｔｈを超える水平ラインを動領域とする。すなわち、分割部２５２は、第２閾値Ｈｔｈを超える値Ｗを有する水平ラインを動領域とする。一方、分割部２５２は、ヒストグラムＨｎ（ｌ）について、第２閾値Ｈｔｈ以下の水平ラインを静止領域とする。分割部２５２は、第２閾値Ｈｔｈ以下の値Ｗを有する水平ラインを静止領域とする。
【００２８】
発光時間制御パルス生成部２６は、同期信号に基づいて、映像信号による映像を画像表示モジュール１０に表示させる場合、動き検出部２５によって動領域とされた水平ラインについて、静止領域とされた水平ラインよりも、１フレームの発光時間を短くする。一例として、発光時間制御パルス生成部２６は、静止領域における１フレームの発光時間を１００％とすると、動領域における１フレームの発光時間を２５％とする。
【００２９】
ここで、画質の劣化について説明する。図３は、画質の劣化について説明するための図である。図３（Ａ）は、視線を動かさない場合を示す。図３（Ｂ）は、視線を動かす場合を示す。
静止領域の発光時間を１００％（発光強度を１００％とする）とし、動領域の発光時間を２５％（発光強度を４００％とする）とするような制御のみを行って表示を行うと仮定する。
図３（Ａ）に示すように、上記の仮定において、視線を動かさない場合には、静止領域及び動領域の両方とも同じ明るさに見える。
しかし、図３（Ｂ）に示すように、上記の仮定において、異なる領域に移動するように視線を動かした場合には、静止領域と動領域との境界が黒く見えてしまう可能性がある。すなわち、人間の眼は、所定時間の光を積分したものを見ている。このため、発光時間が異なる領域で視線を動かすと、人間の眼は１フレーム分の光を積分してみるため、静止領域について発光時間を短くして表示するのと同様になり、静止領域と動領域との境界が黒く見えて、画質が劣化してしまう。
【００３０】
このように静止領域と動領域との間が黒く見えてしまうのを防止するために、発光時間制御パルス生成部２６は、動領域に隣接する静止領域を、静止領域から動領域にかけて発光時間を徐々に短くするようにする。すなわち、発光時間制御パルス生成部２６は、静止領域のうち動領域に隣接する領域において、動領域に近づくにつれて発光時間を徐々に短くする。
【００３１】
具体的な一例として、水平ライン数が１０８０本有り、ライン番号が５００〜７００番が動領域となり、５００〜７００番以外のライン番号が静止領域となる場合には、４３０から４９９番まで及び７７０から７０１番までを、動領域に近づくにつれて発光時間が２５％に近づくように、発光時間を２％ずつ段階的に短くする。すなわち、発光時間制御パルス生成部２６は、静止領域のうちの動領域に隣接する領域について、動領域に近づくにつれて、１ライン毎に発光時間が２％ずつ短くなるように制御する。このような例においては、４９９番の水平ラインの発光時間は２５．５％となり、４９８番の水平ラインの発光時間は２６．０１％となり、４９７番の水平ラインの発光時間は２６．５３％となり、４３１番の水平ラインの発光時間は９８．０２％となり、４３０番の水平ラインの発光時間は９９．９８％となる。また、７０１番の水平ラインの発光時間は２５．５％となり、７０２番の水平ラインの発光時間は２６．０１％となり、７０３番の水平ラインの発光時間は２６．５３％となり、７６９番の水平ラインの発光時間は９８．０２％となり、７７０番の水平ラインの発光時間を９９．９８％となる。
【００３２】
なお、１ライン毎の発光時間を２％未満の任意の値毎に短くしても、画質の劣化を改善することができる。しかし、２％とすれば、発光時間制御パルス生成部２６の処理負担が軽減され、さらに、画質の劣化を改善することができる。また、１ライン毎に発光時間を２％以上の任意の値に短くした場合でも、画質の劣化を改善することが可能である。
【００３３】
発光時間制御パルス生成部２６は、映像を表示パネル１３に表示させる場合、動き検出部２５によって動きが検出された動領域について、動きが検出されない静止領域に比べて、１フレームあたりの有機ＥＬ素子１４の発光時間を短くするように、同期信号に基づいて、有機ＥＬ素子１４の発光時間を制御するためのパルス信号（発光時間制御パルス）を生成して、発光時間制御信号線駆動回路２７に供給する。
【００３４】
一例として、発光時間制御信号線駆動回路２７には、水平方向に沿う、複数の発光時間制御信号線１５が接続されている。各発光時間制御信号線１５には、その発光時間制御信号線１５が配された水平方向に沿う領域に存在する発光時間制御用トランジスタＴｒ３が複数接続される。
【００３５】
発光時間制御信号線駆動回路２７は、発光時間制御パルスを受信すると、動き検出部２５によって動きが検出された動領域を表示する画素に対して、発光時間制御信号を出力する。上述したように、発光時間制御信号線１５には、水平方向に沿って複数の発光時間制御用トランジスタＴｒ３が接続される。このため、発光時間制御信号線１５に発光時間制御信号が供給されると、その発光時間制御信号線１５に接続される全ての発光時間制御用トランジスタＴｒ３（水平方向に沿う発光時間制御用トランジスタＴｒ３）には、発光時間制御信号が供給される。発光時間制御用トランジスタＴｒ３は、発光時間制御信号を受信すると、その発光時間制御信号に基づいて、電源のオン／オフを制御する。すなわち、発光時間制御用トランジスタＴｒ３は、発光時間制御信号に基づいて、動きが検出されたフレームについて１フレームあたりの有機ＥＬ素子１４の発光時間を短くする。
【００３６】
また、選択信号用制御パルス生成部２４は、動き検出部２５によって動きが検出された動領域について、動きが検出されない静止領域よりも、発光輝度を高くする。すなわち、上述したように発光時間を短くした場合のみでは、ユーザは、動領域に対応する映像について、静止領域に対応する映像よりも暗く認知する。このため、選択信号用制御パルス生成部２４は、ユーザによって暗く感じられるのを防ぐために、動領域の発光輝度を、静止領域よりも高くする。ここで、選択信号用制御パルス生成部２４は、発光時間を短くする領域については、発光時間がより短くなる場合に発光輝度がより高くなるようにする。したがって、発光時間が短くされる静止領域についても、発光時間に変更が無い静止領域よりも発光輝度を高くする。
【００３７】
一例として、水平ライン数が１０８０本有り、ライン番号が５００〜７００番が動領域となり、５００〜７００番以外のライン番号が静止領域となる場合には、５００〜７００番の水平ラインに対応する動領域の発光輝度を高くする。さらに、静止領域のうちの動領域に隣接する領域について、動領域に近づくにつれて、１ライン毎の発光時間を２％ずつ短くする場合には、４３０から４９９番まで及び７７０から７０１番までの静止領域を、動領域に近づくにつれて発光輝度を徐々に高くする。
【００３８】
選択信号用制御パルス生成部２４は、発光時間に応じた係数（データ倍率）を得て、そのデータ倍率に応じて発光輝度の制御を行う。ここで、データ倍率は、下式（１）より求まる。
データ倍率＝１００／（発光時間［％］）  …（１）
【００３９】
一例として、動領域の発光時間を２５％とすると、データ倍率は、４となる。したがって、選択信号用制御パルス生成部２４は、発光輝度を変化させない場合と比較して、動領域の発光輝度を４倍にして有機ＥＬ素子１４を発光させる。
【００４０】
また、一例として、水平ライン数が１０８０本有り、ライン番号が５００〜７００番が動領域となり、５００〜７００番以外のライン番号が静止領域となり、４９９番の水平ラインの発光時間が２５．５％となり、４３２番の水平ラインの発光時間が９６．１％となる場合には、４９９番の水平ラインのデータ倍率は３．９２１５となり、４３２番の水平ラインのデータ倍率は１．０４０５となる。また、７０１番の水平ラインの発光時間が２５．５％となる場合には、７０１番の水平ラインのデータ倍率は３．９２１５となる。また、７６８番の水平ラインの発光時間が９６．０１％となる場合には、７６８番の水平ラインのデータ倍率は１．０４０５となる。したがって、選択信号用制御パルス生成部２４は、発光輝度を変化させない場合と比較して、４９９番及び７０１番の水平ラインの発光輝度を３．９２１５倍にして有機ＥＬ素子１４を発光させる。また、選択信号用制御パルス生成部２４は、発光輝度を変化させない場合と比較して、４３２番及び７６８番の水平ラインの発光輝度を１．０４０５倍にして有機ＥＬ素子１４を発光させる。
【００４１】
選択信号用制御パルス生成部２４は、上記のデータ倍率に応じて、保持容量Ｃへの充電量を調整するために、選択信号用パルスを出力する。これにより、保持容量Ｃへの充電量が増えるために、有機ＥＬ素子１４の発光輝度は高くなる。
【００４２】
次に、画像表示装置１の動作について説明する。図４は、画像表示装置１の動作について説明するための図である。
まず、図４の（１）に示すように、人がサッカーボールを蹴っている映像が画像表示装置１に入力されたとする。この場合、動き検出部２５は、サッカーボールに対応する領域、及び、サッカーボールの影に対応する領域において動きを検出する（図４の（２）参照）。
【００４３】
発光時間制御パルス生成部２６は、映像を表示パネル１３に表示させる場合、動き検出部２５によって動きが検出された動領域、すなわち、サッカーボール及び影の領域に対応する水平ラインについて、動きが検出されない静止領域に対応する水平ラインよりも１フレームあたりの発光時間を短くする。また、発光時間制御パルス生成部２６は、静止領域のうち、動領域に隣接する領域Ｒについても、動領域に近づくにつれて動領域の発光時間に近づくように、発光時間を徐々に短くする（図４の（３）参照）。この場合、選択信号用制御パルス生成部２４は、発光時間に変化のない領域については、通常の発光輝度で有機ＥＬ素子１４を発光させる。また、選択信号用制御パルス生成部２４は、発光時間を短くした領域については、発光時間が短くになるにしたがって発光輝度が通常よりもより高くなるように有機ＥＬ素子１４を発光させる。
【００４４】
以上説明したように、画像表示装置１は、同期分離部２１によって入力された映像信号から連続する２つのフレームを取り出し、取り出した２つのフレームに基づいて、フレームに記録される被写体の動きを抽出する抽出部２５１と、抽出部２５１による抽出の結果に基づいて、フレームの全領域を、被写体に動きがあるとされる動領域と、被写体に動きがないとされる静止領域とに分割する分割部２５２と、動領域の発光時間を静止領域の発光時間よりも短くすると共に、静止領域から動領域にかけて発光時間を徐々に短くするようにして、フレームを画像表示モジュール１０に表示させる発光時間制御パルス生成部２６と、を備える。
【００４５】
これにより、画像表示装置１は、動領域について発光時間を短くするので、動画を表示する際のぼやけが発生するのを抑えることができる。また、画像表示装置１は、静止領域のうち動領域に隣接する領域についても、動領域に近づくにつれて発光時間を徐々に短くするので、静止領域と動領域との間が黒く表示されるのを抑えることができる。
【００４６】
また、分割部２５２は、抽出部２５１による抽出の結果に基づいて、フレームを構成する水平ライン毎に被写体が動く画素数の割合を求め、水平ライン毎の割合のうち閾値を超える水平ラインを動領域とし、水平ライン毎の割合のうち閾値以下の水平ラインを静止領域とする。これにより、画像表示装置１は、入力された映像信号（同期分離部２１によって分離された画像信号）から、動領域と静止領域とを得ることができる。
【００４７】
選択信号用制御パルス生成部２４は、発光時間を短くする領域については、発光時間がより短くなる場合に発光輝度がより高くなるようにして、フレームを画像表示モジュール１０に表示させる。これにより、画像表示装置１は、１フレームのうちの一部のみについて発光輝度を高くするので、表示パネル１３の寿命が短くなるのを抑えることができる。
【００４８】
なお、本実施形態は、以下のような変形が可能である。
発光時間制御パルス生成部２６は、１つのフレームにおいて、ライン番号が連続する動領域で構成される１群の動領域が複数ある場合、例えば、図４（３）に示すように、サッカーボールに対応する動領域群と、影に対応する動領域群とが存在する場合には、１つのフレームにつき動領域群が１つ有る場合に比べて、静止領域のうち動領域に隣接する領域について、１ライン毎に変化させる発光時間を長くしてもよい。
例えば、１つのフレームに動領域群が１つある場合には、発光時間制御パルス生成部２６は、静止領域のうち動領域に隣接する領域について、１ライン毎に発光時間を２％ずつ変化させる。一方、１つのフレームに動領域群が複数ある場合には、発光時間制御パルス生成部２６は、静止領域のうち動領域に隣接する領域について、１ライン毎に発光時間を５％ずつ変化させる。
これにより、画像表示装置１は、フレームの略全領域が発光時間を変化させるように制御されるのを防ぐことが可能である。
【００４９】
また、発光時間制御パルス生成部２６は、１つのフレームの中央部付近に動領域が存在する場合、静止領域のうち動領域に隣接する領域については、１ライン毎の発光時間の変化を細かく（一例として、２％）設定することが可能である。一方、発光時間制御パルス生成部２６は、１つのフレームの上端付近又は下端付近に動領域が存在する場合、静止領域のうち動領域に隣接する領域については、１ライン毎の発光時間の変化を大きく（一例として、５％）設定することが可能である。ユーザは、フレームの中央部付近の映像を、上端付近又は下端付近の映像に比べて、認識しやすいと考えられる。
このため、画像表示装置１は、認識されやすい中央部付近の画質をより改善させることにより、発光時間制御パルス生成部２６及び選択信号用制御パルス生成部２４の処理負担を軽減させることができる。
【００５０】
また、発光時間制御パルス生成部２６は、入力されるコンテンツに応じて、静止領域のうち動領域に隣接する領域について、１ライン毎の発光時間の変化を変更することが可能である。例えば、映像全体において動領域が少ないと考えられるコンテンツでは、静止領域のうち動領域に隣接する領域について、１ライン毎に発光時間を大きな値（一例として、５％）ずつ変化させる。一方、映像全体において動領域が多いと考えられるコンテンツでは、静止領域のうち動領域に隣接する領域について、１ライン毎に発光時間を小さな値（一例として、２％）ずつ変化させる。
動領域が少ないと考えらえるコンテンツについては、画質の改善を図る必要が少ないと考えることも可能である。これにより、画像表示装置１は、コンテンツに適した制御を行うことができる。
【００５１】
また、発光時間制御パルス生成部２６は、動領域となる水平ラインの本数が所定の本数未満の場合には、発光時間を短くする制御を行わなくともよい。動領域となる水平ラインの本数が少ない場合には、ユーザは、動領域に対応する被写体が小さくて、その被写体の動きを認識することができない可能性がある。これにより、画像表示装置１は、発光時間制御パルス生成部２６及び選択信号用制御パルス生成部２４の処理負担を軽減させることができる。
【符号の説明】
【００５２】
１  画像表示装置
１０  画像表示モジュール
２１  同期分離部（入力部）
２５１  抽出部
２５２  分割部
２４  選択信号用制御パルス生成部（制御部）
２６  発光時間制御パルス生成部（制御部）
【図１】
2016012068.tif 000003
【図２】
2016012068.tif 000004
【図３】
2016012068.tif 000005
【図４】
2016012068.tif 000006